(57)【要約】【課題】時刻情報の取得の成否や、電子時計の表示時刻が時刻情報に基づいて修正された正確な時刻であるか否かをユーザーが即座に把握できるようにする。【解決手段】電子時計１は、表示部８０と、時刻を計時する計時部６６と、時刻情報を取得する取得部１０と、取得部１０が取得した時刻情報に基づいて計時部６６の計時時刻を修正する時刻修正部６８と、計時時刻を含む表示画像を表示部８０に表示させる制御部５０と、を備え、制御部５０は、取得部１０が時刻情報の取得に成功した場合と失敗した場合とで、表示画像のコントラストまたは色を変更する。【選択図】図２
2017075816.tif 000002
【特許請求の範囲】
【請求項１】
表示部と、
時刻を計時する計時部と、
時刻情報を取得する取得部と、
前記取得部が取得した時刻情報に基づいて前記計時部の計時時刻を修正する時刻修正部と、
前記計時時刻を含む表示画像を前記表示部に表示させる制御部と、を備え、
前記制御部は、前記取得部が前記時刻情報の取得に成功した場合と失敗した場合とで、前記表示画像のコントラストまたは色を変更する
ことを特徴とする電子時計。
【請求項２】
前記制御部は、前記取得部が前記時刻情報の取得に成功した場合と失敗した場合とで、前記表示画像の全部のコントラストまたは色を変更する
ことを特徴とする請求項１に記載の電子時計。
【請求項３】
前記表示画像は、背景画像を含み、
前記制御部は、前記取得部が前記時刻情報の取得に成功した場合と失敗した場合とで、前記表示画像のうち前記背景画像のコントラストまたは色を変更する
ことを特徴とする請求項１に記載の電子時計。
【請求項４】
前記制御部は、前記取得部が前記時刻情報の取得に成功した場合と失敗した場合とで、前記表示画像のうち前記計時時刻を示す部分のコントラストまたは色を変更する
ことを特徴とする請求項１に記載の電子時計。
【請求項５】
前記制御部は、前記時刻情報の取得に失敗した場合、前記表示画像のコントラストまたは色を、前記時刻情報の取得に成功した場合とは異なるコントラストまたは色に変更し、当該変更の後、前記時刻情報の取得に成功した場合は、前記表示画像のコントラストまたは色を、前記時刻情報の取得に成功した場合のコントラストまたは色に戻す
ことを特徴とする請求項１乃至４のうちいずれか１項に記載の電子時計。
【請求項６】
操作部を備え、
前記制御部は、前記時刻情報の取得に失敗した場合、前記表示画像のコントラストまたは色を、前記時刻情報の取得に成功した場合とは異なるコントラストまたは色に変更し、当該変更の後、前記操作部の操作に応じて、前記表示画像のコントラストまたは色を、前記時刻情報の取得に成功した場合のコントラストまたは色に変更する
ことを特徴とする請求項１乃至５のうちいずれか１項に記載の電子時計。
【請求項７】
前記制御部は、前記操作部の操作に応じて前記表示画像のコントラストまたは色を変更してから所定の時間が経過すると、前記表示画像のコントラストまたは色を、前記時刻情報の取得に失敗した場合のコントラストまたは色に戻す
ことを特徴とする請求項６に記載の電子時計。
【請求項８】
前記制御部は、前記操作部の操作に応じて前記表示画像のコントラストまたは色を変更した後、前記表示画像のコントラストまたは色を、前記時刻情報の取得に成功した場合のコントラストまたは色から、前記時刻情報の取得に失敗した場合のコントラストまたは色に徐々に戻す
ことを特徴とする請求項６または７に記載の電子時計。
【請求項９】
時刻情報を取得して計時時刻を修正する電子時計の表示制御方法であって、
前記時刻情報の取得に成功した場合は、取得した前記時刻情報に基づいて前記計時時刻を修正し、前記計時時刻を含む表示画像を表示部に表示させ、
前記時刻情報の取得に失敗した場合は、前記計時時刻を修正せずに、前記計時時刻を含む表示画像を、前記時刻情報の取得に成功した場合とはコントラストまたは色を変更して前記表示部に表示させる
ことを特徴とする電子時計の表示制御方法。
【発明の詳細な説明】
【技術分野】
【０００１】
本発明は、電子時計および電子時計の表示制御方法に関する。
【背景技術】
【０００２】
特許文献１には、時刻情報を含む電波信号を受信して時刻を修正する電波時計が記載されている（段落０００１）。また、同文献１には、電波信号の受信に成功したときは秒針の連続運針を維持し、電波信号の受信に失敗したときは秒針をステップ運針に切り換えることが記載されている（段落０００９）。
【先行技術文献】
【特許文献】
【０００３】
【特許文献１】特開２００３−４８７３号公報
【発明の概要】
【発明が解決しようとする課題】
【０００４】
特許文献１では、電波信号の受信の成否に応じて秒針の運針状態を変更しているが、秒針が連続運針であるのかステップ運針であるのかを見極めるためには、少なくとも１〜２秒の間、秒針の動きを見続ける必要がある。このためユーザーは、電波信号の受信の成否や、電波時計の表示時刻が電波信号に含まれる時刻情報に基づいて修正された正確な時刻であるか否かを即座に把握することができなかった。
【０００５】
本発明は、上述した事情に鑑みてなされたものであり、時刻情報の取得の成否や、電子時計の表示時刻が時刻情報に基づいて修正された正確な時刻であるか否かをユーザーが即座に把握できるようにすることを目的とする。
【課題を解決するための手段】
【０００６】
以上の課題を解決するために、本発明に係る電子時計は、表示部と、時刻を計時する計時部と、時刻情報を取得する取得部と、前記取得部が取得した時刻情報に基づいて前記計時部の計時時刻を修正する時刻修正部と、前記計時時刻を含む表示画像を前記表示部に表示させる制御部と、を備え、前記制御部は、前記取得部が前記時刻情報の取得に成功した場合と失敗した場合とで、前記表示画像のコントラストまたは色を変更することを特徴とする。
【０００７】
この構成によれば、表示部には、計時時刻を含む表示画像が表示される。また、表示部に表示される表示画像は、時刻情報の取得に成功した場合と失敗した場合とで、コントラストまたは色が変更される。したがって、ユーザーは、表示画像を一目見るだけで、表示画像のコントラストや色の違いから、時刻情報の取得の成否や、電子時計の表示時刻が時刻情報に基づいて修正された正確な時刻であるか否かを即座に把握することができる。
【０００８】
また、上述した電子時計において、前記制御部は、前記取得部が前記時刻情報の取得に成功した場合と失敗した場合とで、前記表示画像の全部のコントラストまたは色を変更する構成であってもよい。この場合、表示画像全体のコントラストや色が変更されるので、時刻情報の取得の成否や、電子時計の表示時刻が時刻情報に基づいて修正された正確な時刻であるか否かを、より把握し易くすることができる。また、表示画像全体のコントラストや色を変更すればよいので、コントラストや色を変更する制御も容易である。
【０００９】
また、上述した電子時計において、前記表示画像は、背景画像を含み、前記制御部は、前記取得部が前記時刻情報の取得に成功した場合と失敗した場合とで、前記表示画像のうち前記背景画像のコントラストまたは色を変更する構成であってもよい。このように背景画像のコントラストや色を変更する構成であっても、時刻情報の取得の成否や、電子時計の表示時刻が時刻情報に基づいて修正された正確な時刻であるか否かをユーザーに把握させることができる。また、表示画像のうち計時時刻を示す部分については、コントラストや色が変更されないので、時刻の表示が見づらくなってしまうこともない。
【００１０】
また、上述した電子時計において、前記制御部は、前記取得部が前記時刻情報の取得に成功した場合と失敗した場合とで、前記表示画像のうち前記計時時刻を示す部分のコントラストまたは色を変更する構成であってもよい。ユーザーが電子時計を見るのは、時刻を把握するためである。したがって、表示画像の一部であっても計時時刻の部分は、ユーザーが最も注視する部分であるので、この部分のコントラストや色を変更する構成であっても、時刻情報の取得の成否や、電子時計の表示時刻が時刻情報に基づいて修正された正確な時刻であるか否かをユーザーに把握させることができる。
【００１１】
また、上述した電子時計において、前記制御部は、前記時刻情報の取得に失敗した場合、前記表示画像のコントラストまたは色を、前記時刻情報の取得に成功した場合とは異なるコントラストまたは色に変更し、当該変更の後、前記時刻情報の取得に成功した場合は、前記表示画像のコントラストまたは色を、前記時刻情報の取得に成功した場合のコントラストまたは色に戻す構成であってもよい。このように時刻情報の取得に失敗しても、その後、時刻情報の取得に成功した段階で、表示画像のコントラストや色を、時刻情報の取得に成功した場合のコントラストや色に戻すようにしてもよい。
【００１２】
また、上述した電子時計において、操作部を備え、前記制御部は、前記時刻情報の取得に失敗した場合、前記表示画像のコントラストまたは色を、前記時刻情報の取得に成功した場合とは異なるコントラストまたは色に変更し、当該変更の後、前記操作部の操作に応じて、前記表示画像のコントラストまたは色を、前記時刻情報の取得に成功した場合のコントラストまたは色に変更する構成であってもよい。この場合、ユーザーは、時刻情報が取得できない状況下でも、操作部を操作することで、表示画像のコントラストや色を、時刻情報の取得に成功した場合のコントラストや色に強制的に変更することができる。
【００１３】
また、上述した電子時計において、前記制御部は、前記操作部の操作に応じて前記表示画像のコントラストまたは色を変更してから所定の時間が経過すると、前記表示画像のコントラストまたは色を、前記時刻情報の取得に失敗した場合のコントラストまたは色に戻す構成であってもよい。この場合、ユーザーが操作部を操作して表示画像のコントラストや色を強制的に変更しても、所定の時間が経過すると、表示画像のコントラストや色が、時刻情報の取得に失敗した場合のコントラストや色に戻るので、時刻情報の取得に失敗していることや、電子時計の表示時刻が時刻情報に基づいて修正された正確な時刻でないことを、ユーザーに再度把握させることができる。
【００１４】
また、上述した電子時計において、前記制御部は、前記操作部の操作に応じて前記表示画像のコントラストまたは色を変更した後、前記表示画像のコントラストまたは色を、前記時刻情報の取得に成功した場合のコントラストまたは色から、前記時刻情報の取得に失敗した場合のコントラストまたは色に徐々に戻す構成であってもよい。このように操作部の操作に応じて強制的に変更された表示画像のコントラストや色を、時刻情報の取得に成功した場合のコントラストや色から、時刻情報の取得に失敗した場合のコントラストや色に徐々に戻すようにしてもよい。
【００１５】
また、本発明に係る電子時計の表示制御方法は、時刻情報を取得して計時時刻を修正する電子時計の表示制御方法であって、前記時刻情報の取得に成功した場合は、取得した前記時刻情報に基づいて前記計時時刻を修正し、前記計時時刻を含む表示画像を表示部に表示させ、前記時刻情報の取得に失敗した場合は、前記計時時刻を修正せずに、前記計時時刻を含む表示画像を、前記時刻情報の取得に成功した場合とはコントラストまたは色を変更して前記表示部に表示させることを特徴とする。この発明によれば、上述した電子時計の発明と同様の作用効果を奏する。
【図面の簡単な説明】
【００１６】
【図１】第１実施形態に係る電子時計の外観構成を示す平面図である。
【図２】電子時計の内部構成を示すブロック図である。
【図３】時刻修正処理のフローチャートである。
【図４】時刻情報の受信に成功した場合の表示画像の一例を示す図である。
【図５】時刻情報の受信に失敗した場合の表示画像の一例を示す図である。
【図６】第２実施形態に係るコントラスト変更処理のフローチャートである。
【図７】時刻情報の受信に失敗した場合の表示画像の変形例を示す図であり、背景画像のコントラストを変更した場合である。
【図８】時刻情報の受信に失敗した場合の表示画像の変形例を示す図であり、時刻画像のコントラストを変更した場合である。
【発明を実施するための形態】
【００１７】
以下、図面を参照して本発明に係る実施の形態を説明する。
＜第１実施形態＞
図１は、第１実施形態に係る電子時計１の外観構成を示す平面図である。
同図に示す電子時計１は、標準電波を受信して計時時刻を修正する機能を有する腕時計型の電波時計である。電子時計１は、金属等の導電性材料またはセラミック等の非導電性材料で形成された外装ケース５を備える。外装ケース５の正面には矩形状の開口部５Ａが形成され、この開口部５Ａの内側に表示部８０が設けられている。表示部８０には、表示画像１００として、電子時計１で計時されている計時時刻と共に背景画像が表示される。外装ケース５のうち図中左右方向の側面には、操作部の一例である操作ボタン６Ａ，６Ｂが設けられている。ユーザーは、操作ボタン６Ａ，６Ｂを操作することで、電子時計１の動作モード等を変更することができる。また、外装ケース５のうち図中上下方向の側面には、ベルト取付部７を介してベルト８が取り付けられている。このベルト８により電子時計１がユーザーの手首に装着される。なお、図１ではベルト８の一部の図示を省略している。
【００１８】
図２は、電子時計１の内部構成を示すブロック図である。
電子時計１は、操作ボタン６Ａ，６Ｂと、受信部１０と、アンテナ１２と、発振回路２０と、分周回路３０と、電源部４０と、制御部５０（主制御部６０および表示制御部７０）と、表示部８０とを備える。操作ボタン６Ａ，６Ｂは、操作信号を主制御部６０に出力する。受信部１０は、時刻情報を取得する取得部の一例であり、主制御部６０の制御の下、アンテナ１２を介して標準電波を受信する。また、受信部１０は、受信した標準電波を復調してデコードし、標準電波に含まれる時刻情報等を主制御部６０に出力する。
【００１９】
発振回路２０は、水晶振動子を備え、例えば３２７６８ＫＨｚのパルス信号を出力する。分周回路３０は、発振回路２０から出力されるパルス信号を分周し、例えば１Ｈｚの基準クロック信号を出力する。電源部４０は、例えば一次電池を備え、主制御部６０の制御の下、電子時計１の各部に駆動電力を供給する。なお、電源部４０は、一次電池の代わりに二次電池を備えてもよい。この場合、電子時計１は、ソーラーパネルを更に備え、ソーラーパネルが発電した電力で二次電池を充電してもよい。
【００２０】
制御部５０は、電子時計１の全体を制御する主制御部６０と、表示部８０を制御する表示制御部７０とで構成されている。主制御部６０は、ＲＯＭ６２（Read Only Memory）と、ＲＡＭ６４（Random Access Memory）と、計時部６６と、時刻修正部６８とを有する。ＲＯＭ６２は、例えば書き換え可能なフラッシュＲＯＭであり、主制御部６０によって実行されるプログラム等が記憶されている。このＲＯＭ６２に記憶されているプログラムには、例えば、後述する時刻修正処理のプログラムが含まれる。ＲＡＭ６４は、主制御部６０の作業領域として使用される。
【００２１】
計時部６６は、分周回路３０から出力される基準クロック信号をカウントし、例えば、年，月，日，時，分，秒からなる時刻を計時する。時刻修正部６８は、受信部１０が受信した標準電波に含まれている時刻情報に基づいて計時部６６の計時時刻を修正する。なお、図２には、主制御部６０の内部に計時部６６を設けた構成を例示したが、計時部６６は、主制御部６０や制御部５０の外部に設けられていてもよく、これは時刻修正部６８についても同様である。また、図示を省略しているが、計時部６６の内部には、計時時刻を示すカウント値を格納する計時カウンターが設けられている。
【００２２】
表示制御部７０は、ＲＯＭ７２と、ＶＲＡＭ（Video RAM）７４とを有する。ＲＯＭ７２は、例えば書き換え可能なフラッシュＲＯＭであり、表示制御部７０によって実行されるプログラムに加え、時刻表示用の数字や記号等の画像データー、背景画像の画像データー等が記憶されている。ＶＲＡＭ７４には、表示部８０に表示する１画面分の画像データーが書き込まれる。表示制御部７０は、主制御部６０からの指示に基づいて表示部８０を制御し、計時時刻を含む表示画像１００を表示する。
【００２３】
例えば、表示制御部７０は、２層のレイヤー構造を用いて表示画像１００を生成する。２層のレイヤーのうち、前面に位置する第１レイヤーを時刻表示用のレイヤーとして定義し、後面に位置する第２レイヤーを背景画像用のレイヤーとして定義した場合、計時時刻を示す数字や記号の画像は第１レイヤーの画像になり、背景画像は第２レイヤーの画像になる。表示制御部７０は、レイヤー毎に個別に画像を編集することが可能であり、第１レイヤーの画像と、第２レイヤーの画像とを重ねて合わせてＶＲＡＭ７４に描画することで、１画面分の表示画像１００を生成する。
【００２４】
表示部８０は、例えばアクティブマトリックス方式のＥＰＤ（Electrophoretic Display）パネルであり、文字，数字，模様，写真，イラスト等の様々な画像を表示することができる。なお、図２には、制御部５０を主制御部６０と表示制御部７０とに分けた構成を例示したが、これに限られるものではない。例えば、制御部５０は、主制御部６０と表示制御部７０の機能を兼ね備えた１つの制御部であってもよい。
【００２５】
図３は、時刻修正処理のフローチャートである。
同図に示す時刻修正処理は、例えば午前２時等、計時部６６の計時時刻が予め定められた時刻になると主制御部６０により実行される（自動受信モード）。また、時刻修正処理は、ユーザーが操作ボタン６Ａ，６Ｂを操作して強制受信モードに移行した場合にも実行される。このように時刻修正処理は、２４時間毎に自動的に実行される他、強制受信モードに移行する操作が行われたタイミングでも実行される。なお、自動受信モードにおいて時刻修正処理を実行する周期は、２４時間に限らず、例えば１時間や６時間等であってもよい。
【００２６】
時刻修正処理を開始すると、主制御部６０は、受信部１０を制御して標準電波を受信する処理を行う（Ｓ１０１）。ここでは、受信部１０が、アンテナ１２を介して標準電波を受信すると共に、受信した標準電波を復調してデコードし、標準電波に含まれる時刻情報等を主制御部６０に出力する。なお、標準電波は、１分間隔で繰り返し送信されるフレームを有する電波信号である。各フレームには、フレームの先頭に位置する先頭マーカーの時刻を示す時刻情報（年，その年の１月１日からの通算日，時，分）が含まれている。また、先頭マーカーの位置は正分（毎分０秒）の立ち上がりに対応している。
【００２７】
次に、主制御部６０は、時刻情報の受信に成功したか否かを判定する（Ｓ１０２）。例えば、主制御部６０は、１分間隔で繰り返し送信されている標準電波を３回連続して受信部１０に受信させ、そこから得られる３個の時刻情報が１分ずつ異なる時刻を示している場合に時刻情報の受信に成功したと判定し（Ｓ１０２：ＹＥＳ）、そうでない場合に時刻情報の受信に失敗したと判定する（Ｓ１０２：ＮＯ）。なお、標準電波には時刻修正に必ずしも必要でない情報が含まれている。このためＳ１０２では、標準電波に含まれている時刻情報のみを対象にして受信の成否を判定しているが、標準電波の１フレーム分の情報を対象にして受信の成否を判定してもよい。
【００２８】
また、Ｓ１０２において主制御部６０は、受信した時刻情報と計時部６６の計時時刻とを比較して、両者の差分が所定の範囲内にある場合に時刻情報の受信に成功したと判定し（Ｓ１０２：ＹＥＳ）、両者の差分が所定の範囲内にない場合に時刻情報の受信に失敗したと判定（Ｓ１０２：ＮＯ）してもよい。また、Ｓ１０２において主制御部６０は、標準電波に含まれているパリティビットを用いて、受信した時刻情報に伝送誤りが生じているか否かを検査し、伝送誤りが生じていない場合に時刻情報の受信に成功したと判定し（Ｓ１０２：ＹＥＳ）、伝送誤りが生じている場合に時刻情報の受信に失敗したと判定（Ｓ１０２：ＮＯ）してもよい。これら２つの方法によれば、１フレーム分の標準電波を受信するだけで、時刻情報の受信の成否を判定することができる。
【００２９】
時刻情報の受信に成功した場合（Ｓ１０２：ＹＥＳ）、主制御部６０（時刻修正部６８）は、計時部６６の計時時刻を修正する（Ｓ１０３）。例えば、標準電波を３回連続して受信して時刻情報の受信に成功したと判定した場合、時刻修正部６８は、３回目に受信した時刻情報に１分を加算し、この時刻情報に対応するカウント値を、次の先頭マーカーを受信したタイミングで計時部６６内の計時カウンターに書き込む。これにより計時部６６の計時時刻が、受信した時刻情報に基づいて正確な時刻に修正される。また、計時時刻との比較やパリティチェックで時刻情報の受信に成功したと判定した場合も、時刻修正部６８は、受信に成功した時刻情報に１分を加算し、この時刻情報に対応するカウント値を、次の先頭マーカーを受信したタイミングで計時部６６内の計時カウンターに書き込み、計時部６６の計時時刻を修正する。
【００３０】
時刻修正の後、主制御部６０は、表示制御部７０に対して通常のコントラストで表示画像１００を表示するよう指示し（Ｓ１０４）、時刻修正処理を終える。表示制御部７０は、主制御部６０からの指示を表示部８０に通知すると共に、例えば１分毎等、表示画像１００を更新するタイミングになると、主制御部６０から通知される計時時刻に基づいて第１レイヤーの画像（計時時刻を示す数字や記号の画像）を更新する。また、表示制御部７０は、第１レイヤーの画像と、第２レイヤーの画像とを重ねて合わせてＶＲＡＭ７４に描画し、表示部８０は、表示制御部７０の制御の下、ＶＲＡＭ７４に書き込まれた１画面分の表示画像１００を通常のコントラストで表示する。その結果、時刻情報の受信に成功した場合は（Ｓ１０２：ＹＥＳ）、以降、時刻情報の受信に失敗するまでの間、例えば図４に示すような表示画像１００が表示部８０に表示される。
【００３１】
一方、時刻情報の受信に失敗した場合（Ｓ１０２：ＮＯ）、主制御部６０は、表示制御部７０に対して通常のコントラストとは異なるコントラストで表示画像１００を表示するよう指示し（Ｓ１０５）、時刻修正処理を終える。表示制御部７０は、主制御部６０からの指示を表示部８０に通知すると共に、以降、表示画像１００を更新するタイミングになると、主制御部６０から通知される計時時刻に基づいて第１レイヤーの画像を更新する。また、表示制御部７０は、第１レイヤーの画像と、第２レイヤーの画像とを重ねて合わせてＶＲＡＭ７４に描画する。なお、コントラストを変更する場合、ＶＲＡＭ７４に描画される１画面分の表示画像１００は、計時時刻が同じであれば、時刻情報の受信に成功した場合と失敗した場合とで同一になる。
【００３２】
表示部８０は、表示制御部７０の制御の下、ＶＲＡＭ７４に書き込まれた１画面分の表示画像１００を通常のコントラストとは異なるコントラストで表示する。例えば、表示部８０が白黒２値表示のＥＰＤパネルである場合、表示部８０は、画素電極と共通電極との間に印加する電圧の大きさや印加時間を、時刻情報の受信に成功した場合とは異なる値にすることで、表示画像１００全体のコントラストを変更することができる。その結果、時刻情報の受信に失敗した場合は（Ｓ１０２：ＮＯ）、以降、時刻情報の受信に成功するまでの間、例えば図５に示すような表示画像１００が表示部８０に表示される。
【００３３】
なお、図４および図５に示す例は、時刻情報の受信に失敗した場合のコントラストを、時刻情報の受信に成功した場合の通常のコントラストよりも下げた場合である。つまり、時刻情報の受信に失敗した場合に表示される表示画像１００（図５）を、時刻情報の受信に成功した場合に表示される表示画像１００（図４）よりも低いコントラストで表示した例である。このため図４の表示画像１００では黒色だった部分が、図５の表示画像１００では灰色になっている。なお、時刻情報の受信に失敗した場合のコントラストを、時刻情報の受信に成功した場合のコントラストより高くしてもよい。要は、時刻情報の受信に成功した場合と失敗した場合とで、表示画像１００のコントラストを変更すればよい。
【００３４】
また、時刻情報の受信に失敗すると（Ｓ１０２：ＮＯ）、表示画像１００のコントラストが変更されるが、この表示画像１００のコントラストの変化に気が付いたユーザーが操作ボタン６Ａ，６Ｂを操作して強制受信モードに移行した場合や、自動受信モードにより再び時刻修正処理が実行される場合等、次に時刻修正処理が実行されて時刻情報の受信に成功すると（Ｓ１０２：ＹＥＳ）、表示画像１００のコントラストが通常のコントラストに戻される。
【００３５】
以上説明したように本実施形態によれば、表示部８０には、計時時刻を含む表示画像１００が表示される。また、制御部５０は、時刻情報の受信に成功した場合と失敗した場合とで、表示画像１００全体のコントラストを変更する。したがって、ユーザーは、表示画像１００を一目見るだけで、表示画像１００のコントラストの違いから、時刻情報の受信の成否や、表示部８０に表示されている計時時刻が時刻情報に基づいて修正された正確な時刻であるか否かを即座に把握することができる。また、表示画像１００全体のコントラストを変更すればよいので、コントラストを変更する制御も容易である。
【００３６】
＜第２実施形態＞
本発明の第２実施形態について説明する。なお、第１実施形態と同じ構成要素については、第１実施形態の説明で使用した符号を流用し、説明を適宜省略する。
【００３７】
第１実施形態で説明した時刻修正処理において時刻情報の受信に失敗すると（Ｓ１０２：ＮＯ）、表示画像１００のコントラストが変更される。この場合、前述したように、次に時刻修正処理が実行されて時刻情報の受信に成功すると（Ｓ１０２：ＹＥＳ）、表示画像１００のコントラストが通常のコントラストに戻される。但し、電子時計１を装着したユーザーが窓のない室内にとどまっている場合等、時刻情報を受信することができない状況下では、いつまで経っても表示画像１００のコントラストを元に戻すことができない。このような状況下では、図５に示すような表示画像１００が表示され続けることになるので、電子時計１の表示が見づらくなってしまう。そこで、本実施形態では、時刻情報を受信することができない状況下でも、表示画像１００のコントラストを通常のコントラストに戻せるようにした場合について説明する。
【００３８】
図６は、コントラスト変更処理のフローチャートである。
同図に示すコントラスト変更処理は、時刻修正処理において時刻情報の受信に失敗し、図５に示すような表示画像１００が表示されている場合に、操作ボタン６Ａ，６Ｂが操作されて表示画像１００のコントラストを強制的に変更することが指示された場合に主制御部６０により実行される。
【００３９】
コントラスト変更処理を開始すると、主制御部６０は、表示制御部７０に対して通常のコントラスト（時刻情報の受信に成功した場合のコントラスト）で表示画像１００を表示するよう指示する（Ｓ２０１）。この指示は、表示制御部７０を介して表示部８０に通知される。したがって、表示部８０は、以降、表示画像１００を更新するタイミングになると、通常のコントラストで表示画像１００を表示する。よって、時刻情報を受信することができない状況下でも、表示画像１００のコントラストを時刻情報の受信に成功した場合のコントラストに強制的に変更することができる。
【００４０】
次に、主制御部６０は、計時を開始し（Ｓ２０２）、例えば３時間等、所定時間が経過したか否かを判定する（Ｓ２０３）。そして、所定時間が経過すると（Ｓ２０３：ＹＥＳ）、主制御部６０は、表示制御部７０に対して時刻情報の受信に失敗した場合のコントラストで表示画像１００を表示するよう指示し（Ｓ２０４）、コントラスト変更処理を終える。この指示も表示制御部７０を介して表示部８０に通知される。したがって、表示部８０は、以降、表示画像１００を更新するタイミングになると、時刻情報の受信に失敗した場合のコントラストで表示画像１００を表示する。よって、ユーザーが操作ボタン６Ａ，６Ｂを操作して表示画像１００のコントラストを強制的に変更した場合であっても、所定時間が経過すると、表示画像１００のコントラストが時刻情報の受信に失敗した場合のコントラストに戻される。このため時刻情報の受信に失敗していることや、表示部８０に表示されている計時時刻が時刻情報に基づいて修正された正確な時刻でないことを、ユーザーに再度把握させることができる。
【００４１】
なお、表示画像１００のコントラストを、時刻情報の受信に成功した場合のコントラストから、時刻情報の受信に失敗した場合のコントラストに一気に戻すのではなく、徐々に戻す構成としてもよい。例えば、Ｓ２０１で時刻情報の受信に成功した場合のコントラストに変更した後、表示画像１００のコントラストを、１時間毎に段階的に変更していき、３時間が経過すると、時刻情報の受信に失敗した場合のコントラストに戻るようにしてもよい。
【００４２】
以上説明したように本実施形態によれば、時刻情報を受信することができない状況下でも、ユーザーは、操作ボタン６Ａ，６Ｂを操作することで、表示画像１００のコントラストを時刻情報の受信に成功した場合のコントラストに強制的に変更することができる。また、このようにして表示画像１００のコントラストを強制的に変更した場合であっても、所定時間が経過すると、表示画像１００のコントラストが時刻情報の受信に失敗した場合のコントラストに戻される。したがって、時刻情報の受信に失敗していることや、表示部８０に表示されている計時時刻が時刻情報に基づいて修正された正確な時刻でないことを、ユーザーに再度把握させることができる。
【００４３】
＜変形例＞
以上に例示した各実施形態は多様に変形され得る。具体的な変形の態様を以下に例示する。なお、以下の例示から任意に選択された２以上の態様は、相互に矛盾しない範囲で適宜組み合わせることができる。
【００４４】
（１）表示画像１００全体のコントラストを変更するのではなく、表示画像１００の一部のコントラストを変更してもよい。例えば、図７および図８は、時刻情報の受信に失敗した場合に表示される表示画像１００の変形例である。図７および図８において、表示画像１００は、計時時刻を示す時刻画像１００Ａと、背景画像１００Ｂとで構成されている。図７は、表示画像１００のうち背景画像１００Ｂのみのコントラストを変更した場合である。この図７の場合も、表示画像１００の全体に占める背景画像１００Ｂの割合が大きいので、ユーザーは、表示画像１００を一目見るだけで、背景画像１００Ｂのコントラストの違いから、時刻情報の受信の成否や、表示部８０に表示されている計時時刻が時刻情報に基づいて修正された正確な時刻であるか否かを即座に把握することができる。また、表示画像１００のうち時刻画像１００Ａのコントラストは変更されないので、計時時刻の表示が見づらくなってしまうことがない。
【００４５】
一方、図８は、表示画像１００のうち時刻画像１００Ａのみのコントラストを変更した場合である。図８の場合、表示画像１００の全体に占める時刻画像１００Ａの割合は小さいが、ユーザーが電子時計１を見るのは時刻を把握するためであり、時刻画像１００Ａの部分はユーザーが最も注視する部分である。したがって、時刻画像１００Ａのみのコントラストを変更する構成であっても、ユーザーは、時刻画像１００Ａのコントラストの違いから、時刻情報の受信の成否や、表示部８０に表示されている計時時刻が時刻情報に基づいて修正された正確な時刻であるか否かを即座に把握することができる。
【００４６】
（２）表示画像１００のコントラストを変更する代わりに、表示画像１００の色を変更してもよい。このようにコントラストの代わりに色を変更する構成であっても同様の効果を奏する。なお、コントラストの代わりに色を変更する場合は、例えば、ＶＲＡＭ７４に１画面分の表示画像１００を書き込む際に、時刻情報の受信に成功した場合と失敗した場合とで、表示画像１００の全部または一部の色が変更される。
【００４７】
（３）電子時計１は、ＧＰＳ（Global Positioning System）衛星から時刻情報を含む衛星信号を受信して計時時刻を修正する機能を有する腕時計であってもよい。また、電子時計１は、受信部として、Bluetooth（登録商標）やＮＦＣ（Near Field Communication）等の近距離無線通信部を備え、パーソナルコンピューターやスマートフォンを介してネットワーク経由で時刻情報を受信してもよい。また、電子時計１は、通信ケーブルを介して時刻情報を受信してもよく、時刻情報を受信（取得）する形態は、無線に限らず有線であってもよい。
【００４８】
（４）計時部６６で計時される時刻は、年，月，日，時，分，秒で構成される時刻に限らない。例えば、時，分，秒あるいは時，分のみで構成される時刻であってもよい。これは、表示部８０に表示される計時時刻についても同様である。また、数字や記号を用いて計時時刻を表示する代わりに、時針や分針を有するアナログ時計の画像を用いて計時時刻を表示してもよい。また、背景画像として、表示部８０の表示領域より表示サイズが大きい画像をスクロール表示してもよい。表示部８０は、ＥＰＤパネルに限らず、液晶表示パネルや有機ＥＬ（Electro Luminescence）パネル等であってもよい。電子時計１は、腕時計に限らず、置時計，掛け時計，懐中時計等であってもよい。
【符号の説明】
【００４９】
１…電子時計、５…外装ケース、５Ａ…開口部、６Ａ，６Ｂ…操作ボタン、７…ベルト取付部、８…ベルト、１０…受信部、１２…アンテナ、２０…発振回路、３０…分周回路、４０…電源部、５０…制御部、６０…主制御部、６２…ＲＯＭ、６４…ＲＡＭ、６６…計時部、６８…時刻修正部、７０…表示制御部、７２…ＲＯＭ、７４…ＶＲＡＭ、８０…表示部、１００…表示画像、１００Ａ…時刻画像、１００Ｂ…背景画像。
【図１】
2017075816.tif 000003
【図２】
2017075816.tif 000004
【図３】
2017075816.tif 000005
【図４】
2017075816.tif 000006
【図５】
2017075816.tif 000007
【図６】
2017075816.tif 000008
【図７】
2017075816.tif 000009
【図８】
2017075816.tif 000010